(57)【要約】【課題】内装袋に使用する二重フィルムの内側フィルムと外側フィルムの間に流動性物質を封入して断熱性や消臭性等の性質を保持したバッグインボックス用内装袋を提供すること。【解決手段】内側フィルム（１１）と外側フィルム（１２）を二枚重ねた二重フィルム（１３）の周縁（１４）をヒートシールして収納部（１４）を形成させ、二重フィルムの一部に外部と導通する注出口栓を熱融着させたバッグインボックスよう内装袋（１０）において、前記内側内側フィルム（１１）と外側フィルム（１２）の間に流動性物質（１８）が封入してある。流動性物質（１８）は断熱効果を有する物質であったり、消臭効果を有する物質であったり、保冷効果を有する物質であったり、脱酸素効果を有する物質であったりする。【選択図】図１
2006008180.tif 000002
【特許請求の範囲】
【請求項１】
内側フィルムと外側フィルムを二枚重ねた二重フィルムの周縁をヒートシールして収納部を形成させ、二重フィルムの一部に外部と収納部とを導通する注出口栓を熱融着させたバッグインボックス用内装袋において、
前記内側フィルムと外側フィルムの間の間隙部に流動性物質が封入されていることを特徴とする、バッグインボックス用内装袋。
【請求項２】
前記流動性物質が断熱効果を有する物質であることを特徴とする、請求項１記載のバッグインボックス用内装袋。
【請求項３】
前記流動性物質が消臭効果を有する物質であることを特徴とする、請求項１記載のバッグインボックス用内装袋。
【請求項４】
前記流動性物質が保冷効果を有する物質であることを特徴とする、請求項１記載のバッグインボックス用内装袋。
【請求項５】
前記流動性物質が脱酸素効果を有する物質であることを特徴とする、請求項１記載のバッグインボックス用内装袋。
【発明の詳細な説明】
【技術分野】
【０００１】
本発明は、バッグインボックス用内装袋に関するものであり、特には、内側フィルムと外側フィルムの間に流動性物質を封入して、内装袋自体に各種の耐性を持たせたバッグインボックス用内装袋に関する。
【背景技術】
【０００２】
近時、内装に液体を収納するためのプラスチックフィルムを２〜３枚重ねて袋状にヒートシールした内袋を使用し、外装に輸送や保管時の強度や形状を保持するためにダンボール箱を使用した組み合わせ容器がバッグインボックスとして流通している。
【０００３】
このバッグインボックスは、例えば、断熱性は外装のダンボール箱によってのみなされているので、内容物が外気温の変化に影響を受け易かった。また、ダンボール箱と内袋だけでは、外的環境により内容物に匂いや味覚の変化を引き起こすことがあった。冷蔵状態や冷凍状態を保つほどの保温効果もなかった。
【発明の開示】
【発明が解決しようとする課題】
【０００４】
本発明は、バッグインボックスに関する以上のような問題に鑑みてなされたもので、内装袋に使用する二重フィルムの内側フィルムと外側フィルムの間の間隙部に流動性物質を封入して断熱性や消臭性、保冷性、脱酸素性を保持したバッグインボックス用内装袋を提供することを課題とする。
【課題を解決するための手段】
【０００５】
本発明の請求項１の発明は、内側フィルムと外側フィルムを二枚重ねた二重フィルムの周縁をヒートシールして収納部を形成させ、二重フィルムの一部に外部と収納部とを導通する注出口栓を熱融着させたバッグインボックス用内装袋において、前記内側フィルムと外側フィルムの間の間隙部に流動性物質が封入されていることを特徴とする、バッグインボックス用内装袋である。
【０００６】
このように請求項１記載の発明によれば、内側フィルムと外側フィルムの間の間隙部に流動性物質が封入されているので、流動性物質の素材を変えることにより、バッグインボックスに断熱性や消臭性等の各種の耐性を付与させることができる。
【０００７】
また、請求項２の発明は、請求項１の発明において、前記流動性物質が断熱効果を有する物質であることを特徴とする、バッグインボックス用内装袋である。
【０００８】
このように請求項２記載の発明によれば、流動性物質が断熱効果を有する物質であるので、バッグインボックスには断熱性が付与される。
【０００９】
また、請求項３の発明は、請求項１の発明において、前記流動性物質が消臭効果を有する物質であることを特徴とする、バッグインボックス用内装袋である。
【００１０】
このように請求項３記載の発明によれば、流動性物質が消臭効果を有する物質であるので、バッグインボックスには消臭性が付与される。
【００１１】
また、請求項４の発明は、請求項１の発明において、前記流動性物質が保冷効果を有する物質であることを特徴とする、バッグインボックス用内装袋である。
【００１２】
このように請求項４記載の発明によれば、流動性物質が保冷効果を有する物質であるので、バッグインボックスには保冷性が付与される。
【００１３】
また、請求項５の発明は、請求項１の発明において、前記流動性物質が脱酸素効果を有する物質であることを特徴とする、バッグインボックス用内装袋である。
【００１４】
このように請求項５記載の発明によれば、流動性物質が脱酸素効果を有する物質であるので、バッグインボックスには内容物保存性が付与される。
【発明の効果】
【００１５】
このように本発明のバッグインボックス用内装袋の内側フィルムと外側フィルムの間に断熱効果を有する物質を封入することにより、外気温の変化による内袋の変化を防止することができる。また、内側フィルムと外側フィルムの間に消臭効果を有する物質を封入することにより、内容物の味や匂いの変化を防止することができる。また、内側フィルムと外側フィルムの間に保冷効果を有する物質を封入することにより、内容物が保冷される。さらには、内側フィルムと外側フィルムの間に脱酸素効果を有する物質を封入することにより、内容物保存性が向上する。
【発明を実施するための最良の形態】
【００１６】
本発明を一実施形態に基づいて以下に詳細に説明する。
本発明のバッグインボックス用内装袋は、例えば、図１、図２に示すように、内側フィルム（１１）と外側フィルム（１２）を二枚重ねた二重フィルム（１３）の周縁（１４）をヒートシールして収納部（１５）を形成させ、二重フィルムの一部に外部と収納部（１５）とを導通する注出口栓（１６）を熱融着させたバッグインボックス用内装袋（１０）である。
【００１７】
そして、内側フィルム（１１）と外側フィルム（１２）の間の間隙部（１７）に流動性物質（１８）が封入されていることを特徴としている。
【００１８】
内側フィルム（１１）や外側フィルム（１２）は、一般的に使用されているバッグインボックス用内装袋の、例えば、低密度ポリエチレンフィルム（ＬＤＰＥ）、高密度ポリエチレンフィルム（ＨＤＰＥ）、エチレン／酢酸ビニール共重合体フィルム（ＥＶＡ）、ＬＤＰＥ／ＨＤＰＥ／ＬＤＰＥ、ＬＤＰＥ／ＥＶＡ、ＬＤＰＥ／延伸ナイロンフィルム（ＯＮｙ）、ＬＤＰＥ／ポリエチレンテレフタレートフィルム（ＰＥＴ）、ＬＤＰＥ／ＰＥＴ上に酸化アルミニウムや酸化ケイ素などの無機化合物の薄膜を物理蒸着あるいは化学蒸着などの蒸着法により２０〜１００ｎｍ程度の厚さに設けた無機化合物蒸着ＰＥＴ（ＶＭ−ＰＥＴ）、ＬＤＰＥ／ＶＭ−ＰＥＴ／ＬＤＰＥ、ＬＤＰＥ／エチレン・ビニルアルコール共重合体（ＥＶＯＨ）／ＬＤＰＥ、線状低密度ポリエチレン（Ｌ−ＬＤＰＥ）／ＯＮｙ上に酸化アルミニウムや酸化ケイ素などの無機化合物の薄膜を物理蒸着あるいは化学蒸着などの蒸着法により２０〜１００ｎｍ程度の厚さに設けた無機化合物蒸着ＯＮｙ、７〜２０μｍ厚のアルミニウム箔を積層した複合プラスチックフィルム等の単層フィルムまたは複合フィルムを、収納する内容物により適宜選択して使用することができる。
【００１９】
注出口栓（１６）は、一般的には、二重フィルム（１３）の開口孔に熱融着法により取り付けられる環状スパウトと、この環状スパウトの開口部に嵌着ないし螺合されるキャップ部とから形成されている。環状スパウトはポリエチレン等の半硬質プラスチック樹脂から構成され、キャップ部はポリエステル、ポリプロピレン、合成ゴム等の可撓性材料から構成されている。
【００２０】
内側フィルム（１１）と外側フィルム（１２）の間の間隙部（１７）に封入される流動性物質（１８）としては、内袋に付与させる性質によって異なるが、例えば、断熱効果を付与させる場合には、粒状ないし小片状の発泡プラスチックやパルプ発泡ビーズ等の繊維系の物質が好適に使用できる。
【００２１】
また、消臭効果を付与させる場合には、粒状、粉体状のゼオライトや活性炭などの物質が好適に使用でき、液体の化学消臭剤でも良い。
【００２２】
また、保冷効果を付与させる場合には、水を吸収させた吸水性樹脂などの物質が好適に使用できる。
【００２３】
さらに脱酸素効果を付与させる場合には、鉄粉系やアスコルビン酸系などの物質が好適に使用できる。
【００２４】
注出口栓（１６）の二重フィルム（１３）への取り付けは、通常のバッグインボックスの内袋と同様に内袋の片方の面に熱融着法により取り付けてもよいし、袋の端で各２枚のフィルムで挟んで熱融着しても良い。
【００２５】
流動性物質（１８）の内側フイルム（１１）と外側フィルム（１２）の間の間隙部（１７）への封入は、例えば、先ず二重フィルムの三辺周縁（１４）を内側フイルム（１１）と外側フィルム（１２）を重ねた二重フィルム（１３）の状態で熱融着して三方シール袋を製袋し（図３（ａ）参照）、ついで、残りの一辺の内側フイルム（１１）と外側フィルム（１２）の間の間隙部（１７）へ流動性物質（１８）を収納後（図３（ｂ）参照）、二重フィルムを熱融着（１４）して封入を完了する（図３（ｃ）参照）。流動性物質（１８）の収納は表裏両面の二重フィルム（１３）について行う。
【００２６】
最後に残りの一辺の二重フィルム同士を熱融着して四辺が熱融着された内装袋（１０）が作製される（図３（ｄ）参照）。
【図面の簡単な説明】
【００２７】
【図１】本発明のバッグインボックス用内装袋の一実施例を示す、平面説明図である。
【図２】本発明のバッグインボックス用内装袋の一実施例を示す、断面説明図である。
【図３】（ａ）〜（ｄ）は、二重フィルムの内側フィルムと外側フィルムの間隙部に流動性物質を封入して本発明のバッグインボックス用内装袋にする状態を模式的に示す説明図である。
【符号の説明】
【００２８】
１０‥‥バッグインボックス用内装袋
１１‥‥内側フィルム
１２‥‥外側フィルム
１３‥‥二重フィルム
１４‥‥周縁、熱融着部
１５‥‥収納部
１６‥‥注出口栓
１７‥‥間隙部
１８‥‥流動性物質
【図１】
2006008180.tif 000003
【図２】
2006008180.tif 000004
【図３】
2006008180.tif 000005